【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
ネットワークを介してユーザの端末から送信されるコンテンツデータを受信する受信部と、
前記受信部により受信されたコンテンツデータをネットワーク上のサイトに公開する公開部と、
コンテンツデータを構成する複数のフレームデータのそれぞれに埋め込まれた電子透かしを検出する電子透かし検出処理を実行して、前記受信部により受信されたコンテンツデータに所定の情報が電子透かしとして埋め込まれていれば、当該コンテンツデータから前記所定の情報を検出する検出部と、
前記検出部による電子透かし検出処理の実行に係る負荷状況を監視する監視部と、
前記監視部により監視されている負荷状況が所定の基準を超えずに、前記受信部により受信されたコンテンツデータから前記検出部により前記所定の情報が検出された場合、当該コンテンツデータを公開しないよう前記公開部を制御し、当該負荷状況が前記所定の基準を超えずに、当該コンテンツデータについて前記検出部により電子透かし検出処理の実行が完了し、かつ、当該コンテンツデータから前記検出部により前記所定の情報が検出されなかった場合、及び、当該負荷状況が前記所定の基準を超え、当該負荷状況が前記所定の基準を超える時点までに、当該コンテンツデータについて前記検出部により電子透かし検出処理の実行が完了せず、かつ、当該コンテンツデータから前記検出部により前記所定の情報が検出されていない場合、当該コンテンツデータを公開するよう前記公開部を制御する制御部であって、前記時点までに、前記受信部により受信されたコンテンツデータの少なくとも一部のフレームデータについて前記検出部により電子透かし検出処理の実行が完了せず、かつ、当該コンテンツデータの複数のフレームデータのうち、前記検出部により電子透かし検出処理の実行が完了したフレームデータから前記所定の情報が検出されていなければ、当該コンテンツデータ全体を公開するよう前記公開部を制御するとともに、当該コンテンツデータ全体が前記公開部により公開された後に当該コンテンツデータについて電子透かし検出処理を再実行するよう前記検出部を制御し、前記少なくとも一部のフレームデータのいずれかから前記検出部により前記所定の情報が検出された場合、前記公開部により公開されたコンテンツデータを記憶装置に保存する制御部と
を備えることを特徴とするコンテンツデータ管理システム。
【請求項２】
ネットワークを介してユーザの端末から送信されるコンテンツデータを受信する受信部と、
前記受信部により受信されたコンテンツデータをネットワーク上のサイトに公開する公開部と、
コンテンツデータを構成する複数のフレームデータのそれぞれに埋め込まれた電子透かしを検出する電子透かし検出処理を実行して、前記受信部により受信されたコンテンツデータに所定の情報が電子透かしとして埋め込まれていれば、当該コンテンツデータから前記所定の情報を検出する検出部と、
前記検出部による電子透かし検出処理の実行に係る負荷状況を監視する監視部と、
前記監視部により監視されている負荷状況が所定の基準を超えずに、前記受信部により受信されたコンテンツデータから前記検出部により前記所定の情報が検出された場合、当該コンテンツデータを公開しないよう前記公開部を制御し、当該負荷状況が前記所定の基準を超えずに、当該コンテンツデータについて前記検出部により電子透かし検出処理の実行が完了し、かつ、当該コンテンツデータから前記検出部により前記所定の情報が検出されなかった場合、及び、当該負荷状況が前記所定の基準を超え、当該負荷状況が前記所定の基準を超える時点までに、当該コンテンツデータについて前記検出部により電子透かし検出処理の実行が完了せず、かつ、当該コンテンツデータから前記検出部により前記所定の情報が検出されていない場合、当該コンテンツデータを公開するよう前記公開部を制御する制御部であって、前記時点までに、前記受信部により受信されたコンテンツデータの少なくとも一部のフレームデータについて前記検出部により電子透かし検出処理の実行が完了せず、かつ、当該コンテンツデータの複数のフレームデータのうち、前記検出部により電子透かし検出処理の実行が完了したフレームデータから前記所定の情報が検出されていなければ、当該コンテンツデータ全体を公開するよう前記公開部を制御するとともに、当該コンテンツデータ全体が前記公開部により公開された後は当該コンテンツデータについて電子透かし検出処理の実行を前記時点における速度よりも遅い速度で継続するよう前記検出部を制御し、前記少なくとも一部のフレームデータのいずれかから前記検出部により前記所定の情報が検出された場合、前記公開部により公開されたコンテンツデータを記憶装置に保存する制御部と
を備えることを特徴とするコンテンツデータ管理システム。
【請求項３】
前記制御部は、前記少なくとも一部のフレームデータのいずれかから前記検出部により前記所定の情報が検出された場合、前記公開部により公開されたコンテンツデータを、裁判で利用する物証又は警察に提出する物証として前記記憶装置に保存することを特徴とする請求項１又は２のコンテンツデータ管理システム。
【請求項４】
前記監視部は、前記負荷状況として、前記検出部による電子透かし検出処理の実行に用いられるコンピュータリソースの使用状況を監視することを特徴とする請求項１から３のいずれかのコンテンツデータ管理システム。
【請求項５】
前記監視部は、前記負荷状況として、前記検出部による電子透かし検出処理のスループットを監視することを特徴とする請求項１から３のいずれかのコンテンツデータ管理システム。
【請求項６】
前記検出部は、前記受信部により受信されたコンテンツデータ全体が前記公開部により公開された後に当該コンテンツデータについて電子透かし検出処理を再実行する処理を、前記監視部により監視されている負荷状況が前記所定の基準を超えなくなったときに実行することを特徴とする請求項１のコンテンツデータ管理システム。
【請求項７】
前記検出部は、前記受信部により受信されたコンテンツデータ全体が前記公開部により公開された後に当該コンテンツデータについて電子透かし検出処理を再実行する処理を、定時に、前記公開部により同日に公開されたコンテンツデータについてのバッチ処理として実行することを特徴とする請求項１のコンテンツデータ管理システム。
【請求項８】
前記所定の情報は、コンテンツデータの提供者に関する情報を含み、
前記コンテンツデータ管理システムは、さらに、
前記受信部により受信されたコンテンツデータから前記検出部により前記所定の情報が検出された場合、前記所定の情報に基づいて、当該コンテンツデータの前記サイトへの公開が防止又は停止されたことを報告するレポートを作成し、ネットワークを介して当該コンテンツデータの提供者の端末に送信する報告部
を備えることを特徴とする請求項１から７のいずれかのコンテンツデータ管理システム。
【請求項９】
前記所定の情報は、コンテンツデータの提供者に関する情報を含み、
前記コンテンツデータ管理システムは、さらに、
前記受信部により受信されたコンテンツデータから前記検出部により前記所定の情報が検出された場合、前記所定の情報に基づいて、当該コンテンツデータの前記サイトへの公開が防止又は停止されたことへの対価を当該コンテンツデータの提供者に課金する課金部を備えることを特徴とする請求項１から７のいずれかのコンテンツデータ管理システム。
【請求項１０】
前記所定の情報は、コンテンツデータの属性に関する情報を含み、
前記コンテンツデータ管理システムは、さらに、
コンテンツデータの利用者ごとに、提供を受けられるコンテンツデータの属性を示す利用者情報を予め記憶する記憶部と、
前記受信部により受信されたコンテンツデータから前記検出部により前記所定の情報が検出される度に、前記所定の情報を履歴情報として蓄積する蓄積部と、
前記記憶部に記憶された利用者情報と前記蓄積部に蓄積された履歴情報とを比較し、比較結果に基づいて、コンテンツデータの利用者の中から、コンテンツデータを前記サイトに公開しようとした利用者を特定する特定部と
を備えることを特徴とする請求項１から９のいずれかのコンテンツデータ管理システム。
【請求項１１】
コンピュータを、
ネットワークを介してユーザの端末から送信されるコンテンツデータを受信する受信部と、
前記受信部により受信されたコンテンツデータをネットワーク上のサイトに公開する公開部と、
コンテンツデータを構成する複数のフレームデータのそれぞれに埋め込まれた電子透かしを検出する電子透かし検出処理を実行して、前記受信部により受信されたコンテンツデータに所定の情報が電子透かしとして埋め込まれていれば、当該コンテンツデータから前記所定の情報を検出する検出部と、
前記検出部による電子透かし検出処理の実行に係る負荷状況を監視する監視部と、
前記監視部により監視されている負荷状況が所定の基準を超えずに、前記受信部により受信されたコンテンツデータから前記検出部により前記所定の情報が検出された場合、当該コンテンツデータを公開しないよう前記公開部を制御し、当該負荷状況が前記所定の基準を超えずに、当該コンテンツデータについて前記検出部により電子透かし検出処理の実行が完了し、かつ、当該コンテンツデータから前記検出部により前記所定の情報が検出されなかった場合、及び、当該負荷状況が前記所定の基準を超え、当該負荷状況が前記所定の基準を超える時点までに、当該コンテンツデータについて前記検出部により電子透かし検出処理の実行が完了せず、かつ、当該コンテンツデータから前記検出部により前記所定の情報が検出されていない場合、当該コンテンツデータを公開するよう前記公開部を制御する制御部であって、前記時点までに、前記受信部により受信されたコンテンツデータの少なくとも一部のフレームデータについて前記検出部により電子透かし検出処理の実行が完了せず、かつ、当該コンテンツデータの複数のフレームデータのうち、前記検出部により電子透かし検出処理の実行が完了したフレームデータから前記所定の情報が検出されていなければ、当該コンテンツデータ全体を公開するよう前記公開部を制御するとともに、当該コンテンツデータ全体が前記公開部により公開された後に当該コンテンツデータについて電子透かし検出処理を再実行するよう前記検出部を制御し、前記少なくとも一部のフレームデータのいずれかから前記検出部により前記所定の情報が検出された場合、前記公開部により公開されたコンテンツデータを記憶装置に保存する制御部
として機能させるためのプログラム。
【請求項１２】
コンピュータを、
ネットワークを介してユーザの端末から送信されるコンテンツデータを受信する受信部と、
前記受信部により受信されたコンテンツデータをネットワーク上のサイトに公開する公開部と、
コンテンツデータを構成する複数のフレームデータのそれぞれに埋め込まれた電子透かしを検出する電子透かし検出処理を実行して、前記受信部により受信されたコンテンツデータに所定の情報が電子透かしとして埋め込まれていれば、当該コンテンツデータから前記所定の情報を検出する検出部と、
前記検出部による電子透かし検出処理の実行に係る負荷状況を監視する監視部と、
前記監視部により監視されている負荷状況が所定の基準を超えずに、前記受信部により受信されたコンテンツデータから前記検出部により前記所定の情報が検出された場合、当該コンテンツデータを公開しないよう前記公開部を制御し、当該負荷状況が前記所定の基準を超えずに、当該コンテンツデータについて前記検出部により電子透かし検出処理の実行が完了し、かつ、当該コンテンツデータから前記検出部により前記所定の情報が検出されなかった場合、及び、当該負荷状況が前記所定の基準を超え、当該負荷状況が前記所定の基準を超える時点までに、当該コンテンツデータについて前記検出部により電子透かし検出処理の実行が完了せず、かつ、当該コンテンツデータから前記検出部により前記所定の情報が検出されていない場合、当該コンテンツデータを公開するよう前記公開部を制御する制御部であって、前記時点までに、前記受信部により受信されたコンテンツデータの少なくとも一部のフレームデータについて前記検出部により電子透かし検出処理の実行が完了せず、かつ、当該コンテンツデータの複数のフレームデータのうち、前記検出部により電子透かし検出処理の実行が完了したフレームデータから前記所定の情報が検出されていなければ、当該コンテンツデータ全体を公開するよう前記公開部を制御するとともに、当該コンテンツデータ全体が前記公開部により公開された後は当該コンテンツデータについて電子透かし検出処理の実行を前記時点における速度よりも遅い速度で継続するよう前記検出部を制御し、前記少なくとも一部のフレームデータのいずれかから前記検出部により前記所定の情報が検出された場合、前記公開部により公開されたコンテンツデータを記憶装置に保存する制御部
として機能させるためのプログラム。